(57)【要約】【課題】  自動車内において、携帯電話機による音声を運転者に対して聞き取りやすく出力すると共に、音声再生装置によって再生される複数チャンネルの音声を他の者に対して良好な状態で出力して、両者を共存させることが可能な「音声出力装置及び音声出力方法」を提供する。【解決手段】  携帯電話機が通話状態である場合に、複数のスピーカのうちの一つに携帯電話機用インターフェースから入力する音声信号を出力して、音声再生装置用インターフェースから入力した複数チャンネルの音声信号をダウンミックスして残りのスピーカに出力するようにすることにより、携帯電話機による音声のみを一つのスピーカから聞き取りやすく出力すると共に、音声再生装置による音声が残りのスピーカによって出力するようにして、携帯電話機の音声も音声再生装置の音声も良好な状態で聴くことができるようにする。【選択図】        図２
2006157353.tif 000002
【特許請求の範囲】
【請求項１】
携帯電話機から出力される第１の音声信号を入力すると共に、音声再生装置によって再生される第２の音声信号を入力し、複数チャンネルの音声信号を前記第２の音声信号から生成して、前記複数チャンネルの音声信号を複数のスピーカに出力するか、前記複数のスピーカの中の一つ以上かつ前記複数のスピーカの数よりも少ない数のスピーカに前記第１の音声信号を出力すると共に、前記複数チャンネルの音声信号を前記複数チャンネルよりも少ないチャンネルの音声信号にダウンミックスし、前記複数のスピーカの中の前記第1の音声信号を出力していないスピーカにダウンミックスした音声信号を出力する音声処理部と、
前記携帯電話機が通話状態ではない場合に、前記複数のスピーカに前記複数チャンネルの音声信号を出力し、前記携帯電話機が通話状態である場合に、前記複数のスピーカの中の一つ以上かつ前記複数のスピーカの数よりも少ない数のスピーカに前記第１の音声信号を出力すると共に、前記残りのスピーカに前記ダウンミックスした音声信号を出力するように前記音声処理部を制御する制御部と、
を備えることを特徴とする音声出力装置。
【請求項２】
前記音声処理部は、前記複数のスピーカの中の前記第1の音声信号を出力していないスピーカの数以下のチャンネル数に前記複数チャンネルの音声信号をダウンミックスすることを特徴とする請求項１に記載の音声出力装置。
【請求項３】
前記音声処理部は、前記複数のスピーカから出力される前記第２の音声信号に基づく音声によって音像定位を行う音像定位部を備え、
前記携帯電話機が通話状態である場合に、前記制御部は、前記音像定位部を制御して、前記第１の音声信号を出力するスピーカの近傍以外の場所に音像定位させることを特徴とする請求項１に記載の音声出力装置。
【請求項４】
携帯電話機が通話中であるか否かを制御部にて調べる第１のステップと、
前記第１のステップにて、前記携帯電話機が通話中ではないと前記制御部にて判断した場合に、音声再生装置が再生している複数チャンネルの音声信号を複数のスピーカに出力する第２のステップと、
前記第１のステップにて、前記携帯電話機が通話中であると前記制御部にて判断した場合に、前記複数チャンネルの音声信号を前記複数チャンネルよりも少ないチャンネルの音声信号にダウンミックスする第３のステップと、
前記第１のステップにて、前記携帯電話機が通話中であると前記制御部にて判断した場合に、前記複数のスピーカの中の一つ以上かつ前記複数のスピーカの数よりも少ない数のスピーカに前記携帯電話機による音声信号を出力し、前記複数のスピーカの中の前記携帯電話機による音声信号を出力していないスピーカに、前記第３のステップによってダウンミックスされた音声信号を出力する第４のステップと、
を備えた音声出力方法。
【請求項５】
前記第４のステップにて、前記携帯電話機の通話が終了したか否かを前記制御部にて判断する第５のステップと、
前記第５のステップにて、前記携帯電話機の通話が終了したと前記制御部にて判断した場合に、前記音声再生装置が再生している複数チャンネルの音声信号を複数のスピーカに出力する第６のステップと、
を備えた請求項３に記載の音声出力方法。
【発明の詳細な説明】
【技術分野】
【０００１】
本発明は、音声出力装置及び音声出力方法に関し、特に、自動車内などにおいてカーオーディオ等の音声再生装置からの音声と携帯電話機の音声とを同時に出力する音声出力装置及び音声出力方法に関するものである。
【背景技術】
【０００２】
一般的に、自動車等を運転しながら携帯電話機を使用する場合に、交通の安全性を維持するために、運転者が携帯電話機に手を触れずに使用できるハンズフリー用の機器が普及している。携帯電話機が通話状態であるときにおけるカーオーディオの音声と携帯電話機の音声との出力形態として、従来は以下のような形態があった。
【０００３】
一つ目は、カーオーディオのミュート回路をオンにし、車内へのオーディオ音声出力をオフとすることにより、カーオーディオの音声が通話の邪魔にならないようにする形態である。例えば、携帯電話機及びカーオーディオを接続し、カーオーディオから入力した音声を外部に出力している状態で、携帯電話機から着信信号又は通話信号を受信したときには、カーオーディオから入力した音声の外部への出力を遮断して、携帯電話機から入力した音声の外部への出力を行う出力音声切換装置が知られている（例えば、特許文献１参照）。
【特許文献１】特開２００２−１６６７８号公報
【０００４】
しかしながら、特許文献１に記載されたように、オーディオ音声の出力を遮断する従来の技術では、携帯電話機が通話状態や着信状態である場合には、カーオーディオの音声が完全に遮断されてしまうので、携帯電話機で通話を行う運転者だけでなく、自動車に同乗した運転者以外の者も、カーオーディオの音声を聴くことができなくなってしまうという問題があった。
【０００５】
また、携帯電話機及びカーオーディオを接続し、カーオーディオから出力されている音声及び携帯電話機から出力されている音声を入力し、入力した二つの音声をミックスして出力する技術が知られている。しかしながら、この場合にスピーカから出力される音声は、二つの音声がミックスされたものなので、運転者は、携帯電話機の音声を聞き取り難くなってしまうという問題があった。
【０００６】
また、携帯電話機及びカーオーディオを接続し、携帯電話機が通話状態である場合に、運転席近傍に存在するスピーカに携帯電話機から入力した音声を出力し、その他のスピーカにカーオーディオから入力した音声を出力する技術が知られている。しかしながら、カーオーディオによって再生される音声が、複数のスピーカのそれぞれから専用の音声を出力させるものである場合には、運転席近傍に存在するスピーカから携帯電話機による音声を出力すると、そのスピーカ専用の音声が出力されなくなってしまう。そのため、複数のスピーカから出力される音声のバランスが崩れてしまい、カーオーディオによって再生される音声を聴く者は、出力される音声に違和感を生じるという問題があった。
【発明の開示】
【発明が解決しようとする課題】
【０００７】
本発明は、このような問題を解決するために成されたものであり、自動車内において、携帯電話機による音声を運転者に対して聞き取り易く出力できるようにすると共に、音声再生装置によって再生される複数チャンネルを使用して出力される音声を運転者以外の者に対して良好な状態で出力できるようにすることを目的とする。
【課題を解決するための手段】
【０００８】
上記した課題を解決するために、本発明では、携帯電話機による音声信号及び音声再生装置による複数チャンネルの音声信号を複数のスピーカに出力する音声出力装置であって、携帯電話機が通話状態である場合に、音声再生装置から入力した複数チャンネルの音声信号を複数チャンネルよりも少ないチャンネルの音声信号にダウンミックスし、複数のスピーカの中の一つ以上かつ複数のスピーカの数よりも少ない数のスピーカに携帯電話機による音声信号を出力して、複数のスピーカの中の携帯電話機による音声信号を出力していないスピーカにダウンミックスした音声信号を出力するようにしている。
【発明の効果】
【０００９】
上記のように構成した本発明によれば、携帯電話機が通話状態である場合に、一つ以上のスピーカから携帯電話機による音声のみが出力されるので、運転者は携帯電話機による音声を聞き取りやすくなる。また、残りのスピーカから音声再生装置による音声がダウンミックスされて出力されるので、携帯電話機による音声を出力するスピーカ専用の音声再生装置による音声が、ダウンミックスされた音声に含まれて出力される。これにより、出力される音声のバランスが保たれるので、運転者以外の者は、良好な状態で音声再生装置による音声を聴くことができる。従って、携帯電話機による音声と音声再生装置からの音声とが良好に共存することができる。
【発明を実施するための最良の形態】
【００１０】
以下、本発明による一実施形態を図面に基づいて説明する。図１は、本実施形態による音声出力装置１を含むオーディオシステムの構成例を示すブロック図である。
【００１１】
図１において、１０は携帯電話機、２０はＤＶＤプレイヤーなどの音声再生装置であり、複数チャンネルの音声信号を出力する。２は携帯電話機用インターフェースであり、携帯電話機１０に接続され、携帯電話機１０が通話状態であることを示す通話信号を携帯電話機１０から入力し、後述する制御部５に通話信号を出力する。また、携帯電話機用インターフェース２は、携帯電話機１０が通話状態であるときに携帯電話機１０から音声信号を入力し、後述する音声処理部４に出力する。また、３は音声再生装置用インターフェースであり、音声再生装置２０に接続され、音声再生装置２０から音声信号を入力し、後述する音声処理部４に出力する。また、音声再生装置用インターフェース３は、音声再生装置２０が音声信号を再生していることを示す再生信号を音声再生装置２０から入力し、後述する制御部５に再生信号を出力する。なお、携帯電話機１０から出力される音声信号は、特許請求の範囲の第１の音声信号に該当し、音声再生装置２０から出力される音声信号は、特許請求の範囲の第２の音声信号に該当する。ここで、音声再生装置２０から入力する音声信号は、複数チャンネルの音声信号であり、例えば実質６つのチャンネルを用いる５．１チャンネルの音声信号や、４つのチャンネルの音声信号、２つのチャンネルの音声信号などである。
【００１２】
４は音声処理部であり、携帯電話機用インターフェース２及び音声再生装置用インターフェース３から出力された音声信号を入力し、後述する複数のスピーカ８ａ〜８ｆに対応する複数の音声信号を生成する。６はＤ／Ａ変換部であり、音声処理部４から出力された複数の音声信号を入力し、アナログ信号に変換して出力する。７ａ〜７ｅはアンプであり、Ｄ／Ａ変換部６から出力された複数の音声信号（後述するサブウーファー８ｆに出力される音声信号は除く）をそれぞれ増幅する。８ａ〜８ｆはスピーカであり、サブウーファー８ｆを除くスピーカ８ａ〜８ｅは、アンプ７ａ〜７ｅによって増幅された音声信号を外部に出力する。また、サブウーファー８ｆは、Ｄ／Ａ変換部６から出力された音声信号を外部に出力する。
【００１３】
ここで、複数のスピーカ８ａ〜８ｆとしては、音像定位される空間（例えば車両内など）の前方左側に配置されてＬチャンネルの音声が出力されるレフトスピーカ８ａ、前方中央に配置されてＣチャンネルの音声が出力されるセンタースピーカ８ｂ、前方右側に配置されてＲチャンネルの音声が出力されるライトスピーカ８ｃ、後方左側に配置されてＳＬチャンネルの音声が出力されるサブレフトスピーカ８ｄ、後方右側に配置されてＳＲチャンネルの音声が出力されるサブライトスピーカ８ｅ、空間内の任意の位置に配置されてＳＷチャンネルの低音の音声が出力されるサブウーファー８ｆがある。
【００１４】
５は制御部であり、音声処理部４を制御する。具体的には、携帯電話機用インターフェース２から通話信号を入力していない場合には、換言すると、携帯電話機１０が通話状態ではない場合には、制御部５は、音声再生装置用インターフェース３から出力された音声信号を音声処理部４に入力させる。また、制御部５は、音声処理部４を制御して、音声再生装置用インターフェース３から入力した音声信号の音声処理を行い、複数のスピーカ８ａ〜８ｆに対応する複数の音声信号を生成してＤ／Ａ変換部６に出力させる。
【００１５】
また、携帯電話機用インターフェース２から通話信号を入力している場合には、換言すると、携帯電話機１０が通話状態である場合には、制御部５は、携帯電話機用インターフェース２から出力された音声信号及び音声再生装置用インターフェース３から出力された音声信号を音声処理部４に入力させる。また、制御部５は、音声処理部４を制御して、携帯電話機用インターフェース２から入力した音声信号を、センタースピーカ８ｂに出力させるためにＣチャンネル用の音声信号としてＤ／Ａ変換部６に出力させる。また、制御部５は、音声処理部４を制御して、音声再生装置用インターフェース３から入力した５．１チャンネル（６つのチャンネル）の音声信号の音声処理を行い、この音声信号を残りのスピーカ８ａ，８ｃ，８ｄ，８ｅ，８ｆに出力するために、５．１チャンネルより少ない数（例えば５つのチャンネルなど）のチャンネル用の音声信号としてＤ／Ａ変換部６に出力させる。ここで、音声処理部４は、センタースピーカ８ｂを除く残りのスピーカ８ａ，８ｃ，８ｄ，８ｅ，８ｆにて５．１チャンネルの音声の出力を実現できるように音声信号のダウンミックス処理を行う。
【００１６】
図２は、音声処理部４の構成例を示すブロック図である。図２に示すように、音声処理部４は、音声信号生成部１１と、音像定位部１２と、アッテネータＡ１〜Ａ３と、スイッチＳＷ１，ＳＷｔと、加算器ＡＤ１，ＡＤ２とを備えて構成される。音声信号生成部１１では、音声再生装置用インターフェース３より入力した音声信号からＣチャンネル用の音声信号と、Ｌチャンネル用の音声信号と、Ｒチャンネル用の音声信号と、ＳＬチャンネル用の音声信号と、ＳＲチャンネル用の音声信号と、ＳＷチャンネル用の音声信号との６つの音声信号を抽出して生成する。
【００１７】
音像定位部１２は、各チャンネルの音声信号のレベルや位相、出力される時間などを調整することで、自動車などの空間内の所定の位置に音場を作成する。例えば、Ｌチャンネル用の音声信号のレベルを1とし、Ｒチャンネルの音声信号のレベルを０とすると、右ハンドルの運転席において、音声は左側からのみ聴こえる。その後、Ｌチャンネル用の音声信号のレベルを下げながらＲチャンネル用の音声信号のレベルを上げると、だんだん右側に音が移動するように聴こえる。
【００１８】
アッテネータＡ１は、例えば、０ｄＢのアッテネータであり、音像定位部１２から出力されたＬチャンネル用の音声信号を加算器ＡＤ１に供給する。また、アッテネータＡ２は、例えば、−４．５ｄＢのアッテネータであり、音像定位部１２から出力されたＣチャンネル用の音声信号を減衰させ、スイッチＳＷ１に供給する。また、アッテネータＡ３は、例えば０ｄｂのアッテネータであり、音像定位部１２から出力されたＲチャンネル用の音声信号を加算器ＡＤ２に供給する。
【００１９】
また、加算器ＡＤ１は、アッテネータＡ１を通過したＬチャンネル用の音声信号及び、スイッチＳＷ１を介して供給されたＣチャンネル用の音声信号を加算し、Ｌチャンネル用の音声信号として出力する。また、加算器ＡＤ２は、アッテネータＡ３を通過したＲチャンネル用の音声信号及び、スイッチＳＷ１を介して供給されたＣチャンネル用の音声信号を加算し、Ｒチャンネル用の音声信号として出力する。
【００２０】
また、スイッチＳＷ１は、アッテネータＡ２と加算器ＡＤ１，ＡＤ２との接続のオン・オフを切り替える。また、スイッチＳＷｔは、携帯電話機用インターフェース２から入力された音声信号、又は、音声信号生成部１１によってＣチャンネル用の音声信号として生成され、音像定位部１２によって調整された音声信号の何れかを選択する。
【００２１】
ここで、ＳＷ１及びＳＷｔは、制御部５によって制御されている。具体的には、制御部５が携帯電話機用インターフェース部２より通話信号を入力している場合には、制御部５は、ＳＷ１をオンとし、ＳＷｔを携帯電話機用インターフェース２側に切り替える。ＳＷ１がオンとなると、アッテネータＡ２を通過したＣチャンネル用の音声信号が加算器ＡＤ１及び加算器ＡＤ２に入力される。従って、Ｃチャンネル用の音声信号は、Ｌチャンネル用の音声信号及びＲチャンネル用の音声信号に合成される。また、ＳＷｔが携帯電話機用インターフェース２側に切り替わると、携帯電話機１０から入力した音声信号がＣチャンネル用の音声信号として出力される。従って、携帯電話機１０による音声は、センタースピーカ８ｂより出力され、音声再生装置２０による音声は、ダウンミックスされて残りのスピーカ８ａ，８ｃ，８ｄ，８ｅ，８ｆより出力される。
【００２２】
一方、制御部５が携帯電話機用インターフェース２より通話信号を入力していない場合には、制御部５は、ＳＷ１をオフとし、ＳＷｔを音像定位部１２側に切り替える。ＳＷ１がオフとなり、ＳＷｔが音像定位部１２側に切り替わると、音像定位部１２から出力された各チャンネル用の音声信号がダウンミックスされることなく出力される。従って、音声再生装置２０による音声は全てのスピーカ８ａ〜８ｆより出力される。
【００２３】
次に、本実施形態による音声出力装置１の動作及び音声出力方法を説明する。図３は、本実施形態による音声出力装置１の動作及び音声出力方法を示すフローチャートである。
【００２４】
まず、制御部５は、音声再生装置２０から音声再生装置用インターフェース３を介して音声処理部４に入力した音声信号を適切なチャンネルのスピーカから出力させる（ステップＳ１）。例えば、６個のスピーカにて音声を出力する場合に、５．１チャンネルの音声信号であれば、各スピーカに各スピーカ専用の音声が出力される。また、４つのチャンネルの音声信号であれば、レフトスピーカ８ａ、ライトスピーカ８ｃ、サブレフトスピーカ８ｄ、サブライトスピーカ８ｅから音声が出力される。また、２つのチャンネルの音声信号であれば、レフトスピーカ８ａ、ライトスピーカ８ｃから音声が出力される。
【００２５】
なお、図２中にはその構成を示していないが、４つのチャンネルの音声信号の場合に、レフトスピーカ８ａ、ライトスピーカ８ｃ、サブレフトスピーカ８ｄ、サブライトスピーカ８ｅに出力される音声信号に基づいてセンタースピーカ８ｂ及びサブウーファー８ｆに出力される音声信号を生成し、６個のスピーカ８ａ〜８ｆの全てから音声を出力するようにしても良い。また、２つのチャンネルの音声信号の場合に、レフトスピーカ８ａ、ライトスピーカ８ｃに出力される音声信号に基づいてセンタースピーカ８ｂ、サブレフトスピーカ８ｄ、サブライトスピーカ８ｅ、サブウーファー８ｆに出力される音声信号を生成し、６個のスピーカ８ａ〜８ｆの全てから音声を出力するようにしても良い。
【００２６】
次に、制御部５は、携帯電話機用インターフェース２から通話信号を入力したか否かを調べることにより、携帯電話機１０が通話中であるか否かを調べる（ステップＳ２）。ここで、携帯電話機１０は、通話状態であるときに、携帯電話機用インターフェース２に対して通話信号及び音声信号を出力する。携帯電話機１０が通話中ではないと制御部５にて判断した場合には（ステップＳ２にてＮＯ）、ステップＳ１の処理に戻る。
【００２７】
一方、携帯電話機１０が通話中であると制御部５にて判断した場合には（ステップＳ２にてＹＥＳ）、制御部５は、入力音声信号がＣチャンネル専用の音声を使用するか否かを調べる（ステップＳ３）。例えば、５．１チャンネルの音声信号を６個のスピーカ８ａ〜８ｆに出力する場合には、センタースピーカ８ｂから出力される音声は、Ｃチャンネル専用の音声となる。また、４つのチャンネルの音声信号や２つのチャンネルの音声信号をスピーカ８ａ〜８ｆから出力する場合には、センタースピーカ８ｂから音声が出力されなかったり、センタースピーカ８ｂから音声が出力されたとしてもＣチャンネル専用の音声ではなかったりする。
【００２８】
入力音声信号がＣチャンネル専用の音声を使用しないと制御部５にて判断した場合には（ステップＳ３にてＮＯ）、制御部５は、音声処理部４を制御して、携帯電話機用インターフェース２から音声処理部４に入力した音声信号をＣチャンネル用の音声信号として出力させる。また、制御部５では、音声処理部４を制御して、音声再生装置用インターフェース３から音声処理部４に入力した音声信号を適切なチャンネルに出力させる。これにより、携帯電話機１０による音声は、センタースピーカ８ｂから出力され、音声再生装置２０による音声は、適切なスピーカ、換言すると、残りのスピーカ８ａ，８ｃ，８ｄ，８ｅ，８ｆの全て又は何れかから出力される（ステップＳ４）。そして、ステップＳ２の処理に戻る。ここで、音声再生装置２０からは、元々Ｃチャンネル専用の音声が出力されていないので、Ｃチャンネル用の音声として携帯電話機１０による音声を割り当てても音声再生装置２０による音声のバランスは崩れない。
【００２９】
一方、入力音声信号がＣチャンネル専用の音声を使用すると制御部５にて判断した場合には（ステップＳ３にてＹＥＳ）、制御部５は、音声処理部４を制御して、音声再生装置用インターフェース３から音声処理部４に入力された音声信号をダウンミックスする（ステップＳ５）。具体的には、Ｃチャンネル用の音声信号を減衰して、Ｌチャンネル用の音声信号及びＲチャンネル用の音声信号に加算し、センタースピーカ８ｂを除く５つのスピーカ８ａ，８ｃ，８ｄ，８ｅ，８ｆにて５．１チャンネルの音声を実現できるようにする。
【００３０】
そして、制御部５は、音声処理部４を制御して、携帯電話機用インターフェース２から音声処理部４に入力した音声信号をＣチャンネル用の音声信号として出力させる。また、制御部５では、音声処理部４を制御して、ダウンミックスした音声信号を残りのチャンネル用の音声信号として出力させる。これにより、携帯電話機１０による音声は、センタースピーカ８ｂから出力され、音声再生装置２０による音声は、残りのスピーカ８ａ，８ｃ，８ｄ，８ｅ，８ｆから出力される（ステップＳ６）。そして、ステップＳ２の処理に戻る。ここで、音声再生装置２０からは、元々Ｃチャンネル専用の音声が出力されていたが、そのＣチャンネル専用の音声はダウンミックスによって他のチャンネルに振り分けているので、音声再生装置２０による音声のバランスは崩れない。
【００３１】
ここで、前述したステップＳ１〜ステップＳ６の動作が行われている間に、制御部５は、音声再生装置用インターフェース３への音声信号の入力の有無を調べることにより、音声再生装置２０の再生が終了したか否かを調べる。音声再生装置２０の再生が終了したと制御部５にて判断した場合に、携帯電話機１０が通話中であるときには、音声再生装置２０による音声の出力を終了し、携帯電話機１０による音声の出力を継続する。また、音声再生装置２０の再生が終了したと制御部５にて判断した場合に、携帯電話機１０が通話中ではないときには、音声再生装置２０による音声の出力を終了し、前述した動作を終了する。
【００３２】
以上詳しく説明したように、本実施形態によれば、制御部５は、携帯電話機１０が通話中でない場合には、複数チャンネルの音声信号を複数のスピーカ８ａ〜８ｆに出力し、携帯電話機１０が通話中である場合には、音声再生装置２０から入力した複数チャンネルの音声信号をそれよりも少ない数のチャンネルの音声信号にダウンミックスして、携帯電話機１０による音声信号をセンタースピーカ８ｂに出力し、ダウンミックスされた音声信号を残りのスピーカ８ａ，８ｃ，８ｄ，８ｅ，８ｆに出力するように音声処理部４を制御するようにしている。これにより、運転者は携帯電話機１０による音声のみをセンタースピーカ８ｂから聴くことができるので、運転者は携帯電話機１０による音声を聞き取りやすくなる。また、音声再生装置２０による音声は、ダウンミックスされて残りのスピーカ８ａ，８ｃ，８ｄ，８ｅ，８ｆから出力されるので、運転者以外の同乗者は、音声再生装置２０による音声を違和感を生じることなく、良好に聴くことができる。従って、携帯電話機１０による音声と音声再生装置２０による音声とが本来の音感を失うことなく良好に共存することができる。
【００３３】
なお、前記実施形態では、６個のスピーカ８ａ〜８ｆを使用したオーディオシステムの例について説明しているが、本発明はこれに限定されない。例えば、最大で２つのチャンネルの音声信号を出力可能なように、スピーカを２個のみ使用したシステムや、最大で４つのチャンネルの音声信号を出力可能なように、スピーカを４個使用したシステム、最大で７つのチャンネル（例えば６．１チャンネルなど）の音声信号を出力可能なように、スピーカを７個使用したシステムにも本発明を適用可能である。例えば、４つのチャンネルの音声信号を４個のスピーカに出力している場合のように、携帯電話機１０による音声を何れかのスピーカから出力すると、そのスピーカから出力されていたオーディオ音声が欠けて音声のバランスが崩れてしまうようなシステムであれば何でも良い。
【００３４】
また、前記実施形態では、音声再生装置２０による５．１チャンネルの音声信号をＳＷチャンネル用の音声信号を含む５つのチャンネルの音声信号にダウンミックスしているが、これに限定されない。例えば、５．１チャンネルの音声信号をＬチャンネル、Ｒチャンネル、ＳＬチャンネル、ＳＲチャンネルの４つのチャンネル用の音声信号にダウンミックスしたり、５．１チャンネルの音声信号からＳＷチャンネル用の音声信号を除いた５つのチャンネルの音声信号をＬチャンネル、Ｒチャンネル、ＳＬチャンネル、ＳＲチャンネルの４つのチャンネル用の音声信号にダウンミックスしたりしても良い。
【００３５】
また、前記実施形態では、携帯電話機１０による音声が出力されるセンタースピーカ８ｂを除いた残りのスピーカ８ａ，８ｃ，８ｄ，８ｅ，８ｆにダウンミックスした音声信号を出力するようにしているが、本発明はこれに限定されない。例えば、５．１チャンネルの音声信号を２つのチャンネルの音声信号にダウンミックスし、ダウンミックスした音声信号を残りのスピーカ８ａ，８ｃ，８ｄ，８ｅ，８ｆの中の適当なスピーカへ出力するようにしても良いし、モノラルにダウンミックスした音声信号を残りのスピーカ８ａ，８ｃ，８ｄ，８ｅ，８ｆの中の適当なスピーカへ出力するようにしても良い。
【００３６】
ここで、２つのチャンネルへのダウンミックスは、例えば、Ｌチャンネル用の音声信号とＳＬチャンネル用の音声信号とＣチャンネル用の音声信号とを合成してＬチャンネル用の音声信号を生成し、Ｒチャンネル用の音声信号とＳＲチャンネル用の音声信号とＣチャンネル用の音声信号とを合成してＲチャンネル用の音声信号を生成することで実現する。また、モノラルへのダウンミックスは、例えば、Ｌチャンネル用の音声信号と、Ｃチャンネル用の音声信号と、Ｒチャンネル用の音声信号と、ＳＬチャンネル用の音声信号と、ＳＲチャンネル用の音声信号とを合成してモノラル用の音声信号を生成することで実現する。
【００３７】
また、前記実施形態では、携帯電話機１０による音声を出力するためのスピーカをセンタースピーカ８ｂとしているが、本発明はこれに限定されない。例えば、自動車の運転席近傍のスピーカ（右ハンドルの場合にはライトスピーカ８ｃ、左ハンドルの場合にはレフトスピーカ８ａ）に携帯電話機１０による音声を出力しても良い。これにより、携帯電話機１０による音声が運転者のより近くから出力されるようになるので、運転者は携帯電話機１０による音声をより聞き取りやすくなる。
【００３８】
また、前記実施形態では、携帯電話機１０による音声を出力するためのスピーカをセンタースピーカ８ｂの一つとしているが、本発明はこれに限定されない。例えば、自動車が右ハンドルの場合には、携帯電話機１０による音声を出力するためにセンタースピーカ８ｂとライトスピーカ８ｃを使用したり、自動車が左ハンドルの場合には、携帯電話機１０による音声を出力するためにセンタースピーカ８ｂとレフトスピーカ８ａを使用したりしても良い。これにより、運転者の近傍のスピーカからは、携帯電話機１０による音声のみが出力されるようになるので、運転者は携帯電話機１０による音声をより聞き取りやすくなる。ここで、音声再生装置２０による音声は、残りの４つのスピーカから出力するために、音声処理部４によるダウンミックスの仕方は、例えば５．１チャンネルの音声信号の場合、４つのチャンネルの音声信号や、２つのチャンネルの音声信号、モノラルの音声信号にダウンミックスする必要がある。
【００３９】
また、前記実施形態では、音像定位部１２によって音像定位させる位置については言及していないが、例えば、携帯電話機１０による音声がセンタースピーカ８ｂから出力されている場合に、自動車内における助手席や後部座席などの運転席以外の場所に音声再生装置２０による音声を音像定位させるようにしても良い。これにより、運転者は、携帯電話機１０による音声がより聞き取りやすくなり、運転者以外の同乗者は、音声再生装置２０による音声をより良好に聴くことができる。
【００４０】
その他、前記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４１】
本発明は、自動車内などの空間内で、カーオーディオなどの音声再生装置による音声をスピーカから出力しながら、携帯電話機による音声をスピーカから出力する音声出力装置などに有用である。
【図面の簡単な説明】
【００４２】
【図１】本実施形態による音声出力装置を含むオーディオシステムの構成例を示すブロック図である。
【図２】本実施形態による音声出力装置の音声処理部の構成例を示すブロック図である。
【図３】本実施形態による音声出力装置の動作及び音声出力方法を示すフローチャートである。
【符号の説明】
【００４３】
１    音声出力装置
２    携帯電話機用インターフェース
３    音声再生装置用インターフェース
４    音声処理部
５    制御部
１０    携帯電話機
２０    音声再生装置
【図１】
2006157353.tif 000003
【図２】
2006157353.tif 000004
【図３】
2006157353.tif 000005